(57)【要約】【課題】  酸素富化装置で発生した高酸素濃度の空気を浴室内に空気供給口から供給するとき結露水が吐出しても入浴者にかかったりするおそれがなくて快適に入浴することができる酸素富化機能付浴室装置を提供する。【解決手段】  高酸素濃度の空気を生成する酸素富化装置１と、当該酸素富化装置１で生成した高酸素濃度の空気を浴室２内に供給する空気供給口３を備えた酸素富化機能付浴室装置である。これにおいて、浴槽４の洗い場５側のエプロン６の下面に上記空気供給口３を配置する。【選択図】        図１
2006136652.tif 000002
【特許請求の範囲】
【請求項１】
高酸素濃度の空気を生成する酸素富化装置と、当該酸素富化装置で生成した高酸素濃度の空気を浴室内に供給する空気供給口を備えた酸素富化機能付浴室装置において、浴槽の洗い場側のエプロンの下面に上記空気供給口を配置したことを特徴とする酸素富化機能付浴室装置。
【請求項２】
前記酸素富化装置から高酸素濃度の空気の供給を受けて浴槽水中に高酸素濃度の空気から微細気泡を発生させる微細気泡発生装置を備え、前記酸素富化装置から微細気泡発生装置に高酸素濃度の空気を供給する空気供給経路の途中から分岐させた分岐経路を上記空気供給口に連通させたことを特徴とする請求項１記載の酸素富化機能付浴室装置。
【請求項３】
前記微細気泡発生装置は、浴槽内から取り入れた浴槽水を循環させて再び浴槽内に吐出する循環管路と、循環管路の途中に設けられた循環ポンプと、循環ポンプの上流側または下流側に設けられ、前記酸素富化装置の空気供給経路に接続されて高酸素濃度の空気を浴槽水に混入させるエジェクターと、エジェクターの下流側に設けられて混入された高酸素濃度の空気を浴槽水に溶解させる溶解タンクと、溶解タンクの下流側に設けられて浴槽水を減圧することで溶解されている高酸素濃度の空気を微細気泡として発生させる吐出口とで構成されたことを特徴とする請求項２記載の酸素富化機能付浴室装置。
【発明の詳細な説明】
【技術分野】
【０００１】
本発明は、酸素富化装置で発生した高酸素濃度の空気を供給して入浴できるようにした酸素富化機能付浴室装置に関するものである。
【背景技術】
【０００２】
一般に浴室内においては、蒸気や熱等が篭り、呼吸する上で息苦しく感じられ、快適な入浴ができないという問題があった。
【０００３】
そこで、浴室の天井等に酸素富化装置を設け、酸素富化装置で発生した高酸素濃度の空気を浴室内に供給することにより快適に入浴することができるようにしたものが提供されている（例えば、特許文献１、特許文献２参照）。つまり、通常の空気より酸素濃度の高い空気を浴室内に供給することにより、呼吸がしやすくなって快適な入浴ができるようになっている。
【特許文献１】実公平７−５１５６３号公報
【特許文献２】特開平８−１８９２１１号公報
【発明の開示】
【発明が解決しようとする課題】
【０００４】
ところで、酸素富化装置は、酸素富化膜と真空ポンプで主体が構成されており、真空ポンプで大気中の空気を取り入れて酸素富化膜に空気を通すことで酸素が富化された高酸素濃度の空気を得ることができるようになっているが、酸素富化膜は酸素と同様に水蒸気の透過度も窒素より大きく、湿度が高い雰囲気などで運転した場合、水分を多く含んだ空気が空気供給管路を介して浴室内に供給される。このため、空気供給管路にて高酸素濃度の空気を供給するとき結露する（例えば、１５分程度で０．５ｃｃ程度の結露水を発生する）。ところが、高酸素濃度の空気を浴室内に供給する空気供給口は浴室の壁面等に設けてあり、空気供給口から結露水が吐出すると入浴者に結露水がかかったりするおそれがあり、快適に入浴できないという問題があった。
【０００５】
本発明は上記の従来の問題点に鑑みて発明したものであって、酸素富化装置で発生した高酸素濃度の空気を浴室内に空気供給口から供給するとき結露水が吐出しても入浴者にかかったりするおそれがなくて快適に入浴することができる酸素富化機能付浴室装置を提供することを課題とする。
【課題を解決するための手段】
【０００６】
上記課題を解決するために本発明の酸素富化機能付浴室装置は、高酸素濃度の空気を生成する酸素富化装置１と、当該酸素富化装置１で生成した高酸素濃度の空気を浴室２内に供給する空気供給口３を備えた酸素富化機能付浴室装置において、浴槽４の洗い場５側のエプロン６の下面に上記空気供給口３を配置したことを特徴とする。このように構成したことにより、酸素富化装置１で発生した高酸素濃度の空気を空気供給口３から浴室２内に供給して浴室２内を高酸素濃度の雰囲気に保つことができ、息苦しく感じることなく快適に入浴することができる。このとき、空気供給口３から高酸素濃度の空気と一緒に結露水が吐出してもエプロン６の下面の下の洗い場５の床面に吐出し、入浴者に結露水がかかったりすることがなく、快適に入浴することができる。
【０００７】
また前記酸素富化装置１から高酸素濃度の空気の供給を受けて浴槽水中に高酸素濃度の空気から微細気泡を発生させる微細気泡発生装置Ａを備え、前記酸素富化装置１から微細気泡発生装置Ａに高酸素濃度の空気を供給する空気供給経路７の途中から分岐させた分岐経路７ａを上記空気供給口３に連通させたことを特徴とすることも好ましい。酸素富化装置１で発生した高酸素濃度の空気を微細気泡発生装置Ａに供給すると共に空気供給口３から浴室２内に供給することができる。酸素富化装置１から高酸素濃度の空気を微細気泡発生装置Ａに供給することにより、高酸素濃度の空気を溶解させて微細気泡を発生することができ、入浴中に皮膚呼吸ができて入浴の快適度を上げると共に皮膚の活性化を図ることができる。空気供給口３から浴室２内に高酸素濃度の空気を吐出することで浴室２内の酸素濃度を上げて肺呼吸を楽にできて快適に入浴できる。
【０００８】
また前記微細気泡発生装置Ａは、浴槽４内から取り入れた浴槽水を循環させて再び浴槽４内に吐出する循環管路９と、循環管路９の途中に設けられた循環ポンプ１０と、循環ポンプ１０の上流側または下流側に設けられ、前記酸素富化装置１の空気供給経路７に接続されて高酸素濃度の空気を浴槽水に混入させるエジェクター１１と、エジェクター１１の下流側（エジェクター１１の下流側に循環ポンプ１０がある場合は、循環ポンプ１０より下流側）に設けられて混入された高酸素濃度の空気を浴槽水に溶解させる溶解タンク１２と、溶解タンク１２の下流側に設けられて浴槽水を減圧することで溶解されている高酸素濃度の空気を微細気泡として発生させる吐出口１３とで構成されたことを特徴とすることも好ましい。循環ポンプ１０を駆動することにより、浴槽４内の浴槽水が循環ポンプ１０にて循環管路９に取り入れられ、エジェクター１１を通るときに高酸素濃度の空気が混入されると共に溶解タンク１２にて高酸素濃度の空気が浴槽水に溶解させられ、吐出口１３で減圧することにより高酸素濃度の空気の微細気泡が発生されて吐出口１３から浴槽４内に吐出される。これにより高酸素濃度の空気の微細気泡を容易に発生することができる。
【発明の効果】
【０００９】
本発明は叙述の如く高酸素濃度の空気を空気供給口から浴室内に供給して浴室内を高酸素濃度の雰囲気に保つことができ、息苦しく感じることなく快適に入浴することができるのは勿論、空気供給口から高酸素濃度の空気と一緒に結露水が吐出してもエプロンの下面の下の洗い場の床面に吐出し、入浴者に結露水がかかったりすることがなく、快適に入浴することができるという効果がある。
【発明を実施するための最良の形態】
【００１０】
以下、本発明を添付図面に示す実施形態に基いて説明する。
【００１１】
浴室２はユニットバスルームであって、図１、図２に示すように下部の防水床パン１５と、防水床パン１５の周囲に壁パネルを立設して形成した壁面部１６と、壁面部１６に天井パネルを貼って形成した天井部１７とで構成されている。この防水床パン１５の上の一方の片側には浴槽４を設置してあり、防水床パン１５の他方の片側が洗い場５となっている。この浴槽４には浴槽４内から吸い込んだ浴槽水に空気を溶解させると共に空気を溶解させた浴槽水を浴槽４内に吐出することで微細気泡を発生する微細気泡発生装置Ａを設けてあり、また浴槽４には浴槽４内から吸い込んだ浴槽水に空気を巻き込むと共に巻き込んだ気泡入りの浴槽水を浴槽４内に噴出するジェットバス装置Ｂを設けてある。
【００１２】
微細気泡発生装置Ａは、吸入口１８と吐出口１３と循環管路９とエジェクター１１と循環ポンプ１０と溶解タンク１２とで主体が構成されている。吸入口１８は浴槽４の底部近傍に装着してあり、浴槽４内の浴槽水を吸入するようになっている。吐出口１３も浴槽４の底部近傍に装着してあり、吐出口１３から浴槽４内に微細気泡を含んだ浴槽水を吐出するようになっている。この吸入口１８と吐出口１３とは循環管路９にて連通させてあり、循環管路９の途中には循環ポンプ１０を配置してあり、循環ポンプ１０を駆動することにより浴槽水を吸入口１８から吸入して吐出口１３から吐出させるようになっている。また循環管路９には吸入口１８と循環ポンプ１０との間に位置するようにエジェクター１１を設けてあり、循環ポンプ１０の駆動により浴槽水がエジェクター１１を通るとき空気を吸入して浴槽水に空気を混入するようになっている。本例の場合、循環ポンプ１０より上流側にエジェクター１１を配置してあるが、循環ポンプ１０より下流側にエジャクター１１を配置してあってもよい。循環ポンプ１０と吐出口１３との間で循環管路９には溶解タンク１２を配置してあり、エジェクター１１で混入した空気を浴槽水に溶解させるようになっている。循環ポンプ１０より下流側にエジェクター１１を配置してある場合は循環ポンプ１０及びエジェクター１１より下流側に溶解タンク１２を配置してある。溶解タンク１２内では蛇行した経路に浴槽水を通過させるなどして浴槽水に空気を溶解させるようになっている。吐出口１３は空気が溶解した浴槽水を減圧して吐出させることで溶解した空気が微細気泡となり、微細気泡を含んだ浴槽水を吐出させるようになっており、浴槽水が所謂ミルキー状となって入浴できるようになっている。
【００１３】
ジェットバス装置Ｂは吸い込み口２０と噴出口２１と循環管路２２とジェットポンプ２３と空気取り込み口２４と空気供給管路２５とで主体が構成されている。浴槽４の側壁には吸い込み口２０を装着してあり、浴槽４内の浴槽水を吸い込むようになっている。また浴槽４の側壁には噴出口２１を設けてあり、噴出口２１から比較的大きな気泡を含んだ浴槽水を噴出するようになっている。吸い込み口２０と噴出口２１との間には浴槽４外に配管した循環管路２２にて連通させてあり、循環管路２２の途中にはジェットポンプ２３を配置してあり、ジェットポンプ２３を駆動することにより吸い込み口２０から吸い込んだ浴槽水を噴出口２１から強く噴出するようになっている。浴槽４のフランジ２６には空気取り込み口２４を設けてあり、この空気取り込み口２４と噴出口２１とを空気供給管路２５にて連通させてある。そして噴出口２１にはエゼクター部を設けてあり、噴出口２１から浴槽水を噴出することで空気取り込み口２４から取り込んだ空気を浴槽水に巻き込み、比較的に大きな気泡を含んだ浴槽水を噴出するようになっている。
【００１４】
また本発明の場合、浴室２の天井部１７の上に酸素富化装置１を設置してある。この酸素富化装置１は酸素富化膜と真空ポンプで主体が構成されており、真空ポンプで大気中の空気を取り入れて有機高分子の平膜からなる酸素富化膜に空気を通すことで酸素が富化された高酸素濃度の空気を得ることができるようになっている。空気を酸素富化膜に通すとき、酸素と窒素は減速するが、酸素は窒素の２．５倍の速度で通過する。これにより通常の空気は窒素が７８％、酸素が２１％であったのが、酸素富化膜によって窒素が６９％、酸素が３０％の空気となり、高酸素濃度の空気が得られる。この酸素富化装置１で得られた高酸素濃度の空気は空気供給管路７にて浴槽４の近傍に供給されるようになっている。
【００１５】
この空気供給管路７は複数個（本例の場合３個）の分岐管路７ａ，７ｂ，７ｃに分岐してあり、電磁弁ユニットのような切り替え弁ユニット２７の切り替えにて酸素富化装置１で発生した高酸素濃度の空気を分岐管路７ａ，７ｂ，７ｃに選択的に切り替えて供給できるようになっている。この切り替え弁ユニット２７は酸素富化装置１の近傍に位置するように天井部１７の上に配置してある。分岐管路７ａは浴室２内に高酸素濃度の空気を供給する空気供給口３に連通させてあり、分岐管路７ｂは微細気泡発生装置Ａのエジェクター１１に連通させてあり、分岐管路７ｃはジェットバス装置Ｂの空気取り入れ口２４に連通させてある。そして切り替え弁ユニット２７を切り替えることにより酸素富化装置１で発生した高酸素濃度の空気を空気供給口３と微細気泡発生装置Ａのエジェクター１１の両方に供給したり、ジェットバス装置Ｂの空気取り入れ口２４だけに供給したりする切り替えができるようになっている。酸素富化装置１で発生する高酸素濃度の空気の量は例えば２リットル／ｍｉｎであり、微細気泡発生装置Ａのエジェクター１１に取り入れられる高酸素濃度の空気が０．５リットル／ｍｉｎであると、空気供給口３に１．５リットル／ｍｉｎの高酸素濃度の空気が供給されるようになっている。
【００１６】
また浴室２の天井部１７の上には電源ボックス２８を設けてあり、微細気泡発生装置Ａやジェットバス装置Ｂや切り替え弁ユニット２７に給電すると共に微細気泡発生装置Ａやジェットバス装置Ｂや酸素富化装置１や切り替え弁ユニット２７の制御ができるようになっている。また浴槽４のフランジ２６には微細気泡発生装置Ａやジェットバス装置Ｂを操作する操作スイッチ２９，３０を設けてある。
【００１７】
また本発明では浴室２内に高酸素濃度の空気を供給する空気供給口３は浴槽４の洗い場５側のエプロン６の部分に設けてある。防水床パン１５には浴槽４を設置した部分と洗い場５との間に位置するように堰３３を設けてあり、この堰３３より洗い場５側に堰３３に沿って洗い場５の水が集まる排水溝３１を凹設してあり、排水溝３１の長手方向の中央に排水管に連通する排水口３２を設けてある。浴槽４の洗い場５側のエプロン６はエプロン６の下面が排水溝３１の上方に所定の間隔を隔てるように装着してあり、分岐管路７ａに連通した空気供給口３はエプロン６の下面に設けてあり、空気供給口３を排水溝３１に向けて開口してある。
【００１８】
上記のように構成せる酸素富化機能付浴室装置で、酸素富化装置１を駆動して微細気泡発生装置Ａの循環ポンプ１０を駆動すると（このとき、分岐管路７ａ及び７ｂに高酸素濃度の空気が供給されるように切り替え弁ユニット２７が切り替えられている）、図５に示すように吸入口１８から浴槽４内に浴槽水が吸い込まれ、この浴槽水がエジェクター１１を通過することで高酸素濃度の空気が浴槽水に混入され、この高酸素濃度の空気が混入された浴槽水が溶解タンク１２に送られることで浴槽水に高酸素濃度の空気が溶解し、高酸素濃度の空気が溶解した浴槽水が吐出口１３から減圧して吐出されることにより、高酸素濃度の微細気泡を含んだ浴槽水がミルキー状に吐出される。このとき吐出される微細気泡の気泡の大きさは２００ｎｍ〜１００μｍ程度である。これにより、浴槽４に居る入浴者が微細気泡で包まれて温熱効果が得られ、また高酸素濃度の空気の微細気泡で包まれるために入浴者の皮膚呼吸を促進できる。これにより、入浴中の快適度を上昇できると共に心肺機能を軽減できる。また疲労回復（筋肉中の乳酸が酸素により分解される作用が促進される）されると共に皮膚の活性化がされる。
【００１９】
一方、酸素富化装置１から分岐管路７ａを介して供給される高酸素濃度の空気はエプロン６の下面の空気供給口３から排水溝３１に向けて吐出するように浴室２内に供給される。このように浴室２内に高酸素濃度の空気が供給されると、浴室２内の酸素濃度が上がり、肺呼吸を楽にして快適に入浴できる。ところで、酸素富化装置１で発生した高酸素濃度の空気を供給するとき結露しても結露水がエプロン６の下面の空気供給口３から吐出するために入浴者に結露水がかかったりするおそれがない。また空気供給口３から吐出した結露水は排水溝３１を介してスムーズに排水される。また空気供給口３が下方を向けて開口しているために洗い場５を使用しているときに洗い場５側から空気供給口３に流入したりする逆流も生じない。
【００２０】
また上記のように構成せる酸素富化機能付浴室装置で、酸素富化装置１を駆動してジェットバス装置Ｂのジェットポンプ２３を駆動すると（このとき、分岐管路７ｃに高酸素濃度の空気が供給されるように切り替え弁ユニット２７が切り替えられている）、図６に示すように浴槽４内の浴槽水が吸い込み口２０から吸い込まれ、ジェットポンプ２３を介して噴出口２１から浴槽水が噴出されるが、噴出口２１から浴槽水が噴出されるとき空気取り込み口２４から取り込まれた空気が浴槽水に巻き込まれ、気泡を巻き込んだ浴槽水が入浴者に強く当たるように噴出されて入浴者のマッサージができる。空気取り込み口２４から空気を取り込むとき、酸素富化装置１から高酸素濃度の空気が空気取り込み口２４に供給されているため、主に高酸素濃度の空気が取り込まれ、高酸素濃度の空気を含んだ気泡が噴出口２１から噴出される。これにより高酸素濃度の空気が入浴者の顔面付近に漂い、肺呼吸を楽にして快適に入浴することができる。
【００２１】
なお、本発明の実施の形態の例では浴槽４に微細気泡発生装置Ａとジェットバス装置Ｂの両方を備える例について述べたが、微細気泡発生装置Ａだけを備えるものでもよく、また図７に示すように酸素富化装置１で発生した高酸素濃度の空気を浴室２内に空気供給口３から供給するだけのものでもよい。
【図面の簡単な説明】
【００２２】
【図１】本発明の実施の形態の一例の浴室装置を示す一部切欠斜視図である。
【図２】同上の構造を説明する概略縦断面図である。
【図３】同上の浴槽部分の斜視図である。
【図４】同上の空気供給口を設ける部分を説明する縦断面図である。
【図５】同上の微細気泡発生装置の動作を説明する縦断面図である。
【図６】同上のジェットバス装置の動作を説明する縦断面図である。
【図７】同上の他の例を示す一部省略斜視図である。
【符号の説明】
【００２３】
１  酸素富化装置  
２  浴室
３  空気供給口
４  浴槽
５  洗い場
６  エプロン
７  空気供給管路
７ａ  分岐管路
７ｂ  分岐管路
７ｃ  分岐管路
９  循環管路
１０  循環ポンプ
１１  エジェクター
１２  溶解タンク
１３  吐出口
Ａ  微細気泡発生装置
Ｂ  ジェットバス装置
【図１】
2006136652.tif 000003
【図２】
2006136652.tif 000004
【図３】
2006136652.tif 000005
【図４】
2006136652.tif 000006
【図５】
2006136652.tif 000007
【図６】
2006136652.tif 000008
【図７】
2006136652.tif 000009